(57)【要約】  ユーザ機器（ＵＥ）デバイスにおいて組み込み型加入者識別モジュール（ｅＳＩＭ）をパーソナライズ加入者情報でプロビジョニングする。パーソナライズ加入者情報の要求が送信され得る。パーソナライズ加入者情報は受信され得る。パーソナライズ加入者情報はＵＥデバイスにおけるｅＳＩＭにインストールされ得る。【選択図】  図５
2015522976.tif 000002
【特許請求の範囲】
【請求項１】
ユーザ機器（ＵＥ）デバイスが組み込み型加入者識別モジュール（ｅＳＩＭ）をプロビジョニングするためのプログラム命令であって、
パーソナライズＳＩＭ情報の要求を送信すること、
前記パーソナライズＳＩＭ情報を受信すること、
前記ＵＥデバイスのｅＳＩＭに前記パーソナライズＳＩＭ情報をインストールすること、を行うために、プロセッサによって実行可能である前記プログラム命令を有する、非一時的コンピュータアクセス可能メモリ媒体。
【請求項２】
前記パーソナライズＳＩＭ情報が、前記ＵＥデバイスにおいてユーザに固有の情報で前記ｅＳＩＭをプロビジョニングするためのものである、請求項１に記載のメモリ媒体。
【請求項３】
前記パーソナライズＳＩＭ情報が、
国際移動電話加入者識別番号（ＩＭＳＩ）と、
個人識別番号（ＰＩＮ）と、
ＰＩＮロック解除キー（ＰＵＫ）と、
認可キー（Ｋ）と、の１つ以上を含む、請求項１に記載のメモリ媒体。
【請求項４】
前記パーソナライズＳＩＭ情報は暗号化され、
前記プログラム命令が、前記パーソナライズＳＩＭ情報を復号するためにさらに実行可能である、請求項１に記載のメモリ媒体。
【請求項５】
前記要求がパーソナライズサーバに送信され、
前記パーソナライズＳＩＭ情報が前記パーソナライズサーバから受信される、請求項１に記載のメモリ媒体。
【請求項６】
前記プログラム命令が、
共通ＳＩＭ情報の要求を送信すること、
前記共通ＳＩＭ情報を受信すること、
前記ＵＥデバイスの前記ｅＳＩＭに前記共通ＳＩＭ情報をインストールすること、とを行うために、さらに実行可能である、請求項１に記載のメモリ媒体。
【請求項７】
前記共通ＳＩＭ情報が、前記ＵＥデバイスにおいて加入者に固有ではない情報で前記ｅＳＩＭをプロビジョニングするためのものである、請求項１に記載のメモリ媒体。
【請求項８】
前記共通ＳＩＭ情報がｅＳＩＭサーバから受信され、前記パーソナライズＳＩＭ情報がパーソナライズサーバから受信される、請求項６に記載のメモリ媒体。
【請求項９】
前記共通ＳＩＭ情報の要求及び前記パーソナライズＳＩＭ情報の要求が前記ｅＳＩＭサーバに送信され、前記ｅＳＩＭサーバが前記パーソナライズＳＩＭ情報の要求を前記パーソナライズサーバに提供する、請求項８に記載のメモリ媒体。
【請求項１０】
前記ｅＳＩＭが共通ＳＩＭ情報を含み、前記共通ＳＩＭ情報が前記ＵＥデバイスの前記ｅＳＩＭにプレインストールされている、請求項１に記載のメモリ媒体。
【請求項１１】
ユーザ機器（ＵＥ）デバイスにおいて組み込み型加入者識別モジュール（ｅＳＩＭ）をプロビジョニングする方法であって、前記方法は前記ＵＥデバイスによって実装され、前記方法は、
前記ｅＳＩＭの情報のプロビジョニングのための第１の要求を送信することと、
前記ｅＳＩＭの情報のプロビジョニングのための前記要求に応じて第１のパーソナライズＳＩＭ情報を受信することと、
前記ｅＳＩＭに前記第１のパーソナライズＳＩＭ情報をインストールすることと、を含む、方法。
【請求項１２】
前記方法は、しばらく経ってから、
前記ｅＳＩＭの情報のプロビジョニングのための第２の要求を送信することと、
前記ｅＳＩＭの情報のプロビジョニングのための前記第２の要求に応じて第２のパーソナライズＳＩＭ情報を受信すること、
前記ｅＳＩＭに前記第２のパーソナライズＳＩＭ情報をインストールすることと、をさらに含む、請求項１１に記載の方法。
【請求項１３】
前記第２の要求は前記ｅＳＩＭの再プロビジョニングの要求を含み、前記方法は、前記ｅＳＩＭから前記第１のパーソナライズＳＩＭ情報を消去することをさらに含む、請求項１２に記載の方法。
【請求項１４】
前記第２の要求が前記ｅＳＩＭの追加プロビジョニングの要求を含み、前記ｅＳＩＭに前記第２のパーソナライズＳＩＭ情報をインストールした後に、前記ＵＥデバイスが前記第１のパーソナライズＳＩＭ情報及び前記第２のパーソナライズＳＩＭ情報の両方を有する、請求項１２に記載の方法。
【請求項１５】
ユーザ機器（ＵＥ）デバイスであって、前記ＵＥデバイスが前記ＵＥデバイスに加入者識別モジュール（ＳＩＭ）をプロビジョニングするように構成され、前記ＵＥデバイスが、
無線通信を行うための１つ以上アンテナと、
プロセッサと、
非一時的コンピュータアクセス可能メモリ媒体であって、
ネットワークを介してパーソナライズＳＩＭ情報の要求を送信することと、
前記ネットワークを介して、前記パーソナライズＳＩＭ情報を受信することと、
前記ＵＥデバイスのＳＩＭに前記パーソナライズＳＩＭ情報をインストールすることとを行うために、前記プロセッサによって実行可能なプログラム命令を含む、非一時的コンピュータアクセス可能メモリ媒体と、を有する、ＵＥデバイス。
【請求項１６】
前記ＵＥデバイスが着脱可能なスマートカードをさらに有し、前記プログラム命令が、
前記パーソナライズＳＩＭ情報を前記着脱可能なスマートカードにインストールするために、前記プロセッサによって実行可能である、請求項１５に記載のＵＥデバイス。
【請求項１７】
前記ＵＥデバイスが組み込み型スマートカードをさらに有し、
前記プログラム命令は、前記パーソナライズＳＩＭ情報を前記組み込み型スマートカードにインストールするために、前記プロセッサによって実行可能である、請求項１５に記載のＵＥデバイス。
【請求項１８】
前記ＳＩＭが前記ＵＥデバイスのメモリに記憶され、前記ＳＩＭが前記プロセッサによって実行可能である、請求項１５に記載のＵＥデバイス。
【請求項１９】
前記ＵＥデバイスが前記１つ以上のアンテナを使用して、無線で、パーソナライズＳＩＭ情報の前記要求を送信し、前記パーソナライズＳＩＭ情報を受信するように構成される、請求項１５に記載のＵＥデバイス。
【請求項２０】
前記ネットワークがセルラーサービスプロバイダのネットワークを含み、
ＵＥデバイスがブートストラップＳＩＭで構成され、前記ＵＥデバイスにおいて前記ＳＩＭをプロビジョニングする目的で、前記ブートストラップＳＩＭが前記ＵＥデバイスに、前記セルラーサービスプロバイダのネットワークへの限定的な無線アクセスを提供する、請求項１５に記載のＵＥデバイス。
【請求項２１】
ユーザ機器（ＵＥ）デバイスにおいて組み込み型加入者識別モジュール（ｅＳＩＭ）をプロビジョニングする方法であって、前記方法は前記ＵＥデバイスに実装され、前記方法が、
ｅＳＩＭをプロビジョニングするための要求を送信し、前記要求が第１のサーバに提供されることと、
前記第１のサーバから共通ＳＩＭ情報を受信することと、
前記ｅＳＩＭに前記共通ＳＩＭ情報をインストールすることと、
前記共通ＳＩＭ情報が前記ｅＳＩＭにインストールされたという表示を送信することと、
第２のサーバからパーソナライズＳＩＭ情報を受信することと、
前記ｅＳＩＭに前記パーソナライズＳＩＭ情報をインストールすることと、を含む、方法。
【請求項２２】
前記共通ＳＩＭ情報がキャリアキーを含み、前記パーソナライズＳＩＭ情報が前記キャリアキーを使用して暗号化され、
前記方法は、前記共通ｅＳＩＭ情報で受信された前記キャリアキーを使用して前記パーソナライズＳＩＭ情報を復号することをさらに含む、請求項２１に記載の方法。
【請求項２３】
ｅＳＩＭをプロビジョニングするためのプログラム命令を有するコンピュータアクセス可能メモリ媒体であって、前記プログラム命令が、
ｅＳＩＭをプロビジョニングするための要求を受信し、前記要求がユーザ機器（ＵＥ）デバイスから受信されること、
前記ＵＥデバイスに共通ＳＩＭ情報を送信すること、
パーソナライズＳＩＭ情報の要求をパーソナライズサーバに送信すること、
前記パーソナライズサーバから前記パーソナライズＳＩＭ情報を受信すること、
前記パーソナライズＳＩＭ情報を前記ＵＥデバイスに送信すること、を行うために実行可能である、メモリ媒体。
【請求項２４】
前記プログラム命令が、前記ＵＥデバイスから前記共通ＳＩＭ情報がインストールされたという表示を受信するためにさらに実行可能であり、
パーソナライズＳＩＭ情報の前記要求が、前記ＵＥデバイスからの前記共通ＳＩＭ情報が受信されたという前記表示の受信に基づいて、前記パーソナライズサーバに送信される、請求項２３に記載のメモリ媒体。
【請求項２５】
前記パーソナライズＳＩＭ情報が前記パーソナライズサーバから暗号化形式で受信され、前記パーソナライズＳＩＭ情報が前記ＵＥデバイスに暗号化形式で送信される、請求項２３に記載のメモリ媒体。
【請求項２６】
前記プログラム命令が、前記ＵＥデバイスから前記パーソナライズＳＩＭ情報がインストールされたという表示を受信するためにさらに実行可能である、請求項２３に記載のメモリ媒体。
【請求項２７】
前記共通ＳＩＭ情報及び前記パーソナライズＳＩＭ情報が前記ＵＥデバイスにおいてｅＳＩＭをプロビジョニングするために構成され、前記ｅＳＩＭが前記ＵＥデバイスに通信事業者のネットワークへのアクセスを可能にする、請求項２３に記載のメモリ媒体。
【発明の詳細な説明】
【技術分野】
【０００１】
本出願は、無線通信の分野に関し、より具体的には、ユーザ機器（ＵＥ）デバイスにおいて組み込み型加入者識別モジュール（ｅＳＩＭ）をプロビジョニングするためのシステム及び方法に関する。
【背景技術】
【０００２】
無線通信システムの利用が急速に広がっている。さらに、無線通信技術は、音声のみの通信から、インターネット及びマルチメディアコンテンツ等の、データの伝送もまた含むまでに進化した。
【０００３】
無線遠隔通信ネットワーク（例えば、セルラー遠隔通信ネットワーク）の加入者には通常、加入者識別情報が割り当てられ、これは例えば、加入者のユーザ機器（ＵＥ）デバイスの加入者識別モジュール（ＳＩＭ）の一部として記憶され得る。一例として、３ＧＰＰ（ＬＴＥ／ＧＳＭ（登録商標）／ＵＭＴＳ）ネットワークの加入者は、通信事業者のネットワークで自身を特定する国際移動電話加入者識別番号（ＩＭＳＩ）を有している。
【発明の概要】
【発明が解決しようとする課題】
【０００４】
ＳＩＭが、ＵＥとは別に提供される物理的チップ又はカードに装着されていることは、よく行われていることである。したがって、ＵＥを取得して、ＵＥのためのサービス提供を受けるためには、ユーザは（例えば、無線機器ベンダから）ＵＥを取得し、別に（例えば、サービスプロバイダから）ＳＩＭカードを取得して、ＵＥに装着しなければならないことがある。ＵＥのためのサービスを取得するために、複数のステップ、及び無線機器ベンダとサービスプロバイダとの両方とのやりとりが必要なことは、エンドユーザにとっては面倒であり得る。加えて、サービスプロバイダを変えるために、ユーザが古いＳＩＭカードを取り外し、新しい物理ＳＩＭカードを取得して新しいＳＩＭカードを装着する必要があることは、エンドユーザにとって苛立ちの別の原因を意味する場合があり、さらに、サービスプロバイダを切り換えるための心理的障壁を意味することもあり、間接的に、ユーザにとってより高いコスト及び／又はより低いサービス品質という結果になる場合がある。
【０００５】
着脱可能な物理ＳＩＭカードの実際の使用はまた、サービスプロバイダにとっても不満な点が多い。一例として、このアプローチを使用すると、サービスプロバイダは、かなりの費用を意味する、物理ＳＩＭカードを製造及び／又は注文する必要がある。加えて、物理ＳＩＭカードの在庫を保持することは、保管と出荷の点、及び在庫管理の点の両方で、追加のセットの費用を意味する。その上、ＳＩＭカードは使用に先行して適切にプロビジョニングする必要がある場合があり、さらにプロビジョニング（例えば、ＩＭＳＩなど）の一部又は全部がコストベースの場合があるので、追加の費用を意味する場合もある。つまり、在庫になり、使用されないＳＩＭカードは、種々の理由でサービスプロバイダにとって無駄な費用になり得る。
【０００６】
したがって、着脱可能な物理ＳＩＭカードの重要な欠点を考慮すると、当該分野での改善は望ましいものになるはずである。
【課題を解決するための手段】
【０００７】
ユーザ機器（ＵＥ）デバイスにおいて組み込み型加入者識別モジュール（ｅＳＩＭ）の取得及びパーソナライズを行うためのシステム及び方法の種々の実施形態が提示される。具体的には、無線通信を経由して（ＯＴＡ）パーソナライズ（例えば、プロビジョニング及びアクティブ化）され得る、ＵＥデバイスにおけるｅＳＩＭの使用は、プレプロビジョニングされた、着脱可能な物理ＳＩＭカードに対するかなりの改善を意味し得る。
【０００８】
例えば、ユーザエクスペリエンスは、ユーザのＵＥデバイスにおけるｅＳＩＭの使用によって改善され得る。物理ＵＥデバイスと物理ＳＩＭカードとを別々に取得してから、ＳＩＭカードをＵＥデバイスに装着するのではなく、ユーザは単に、プレインストールされたｅＳＩＭをサポートできるハードウェアを有し得る、ＵＥデバイスのみを取得できれば良い。その上、サービスプロバイダの選択も簡単になり得、サービスプロバイダの切り換えプロセスも大幅に容易になり得る。例えば、ユーザは、当該サービスプロバイダのプランのみを提供するサービスプロバイダの店舗ロケーションよりむしろ、プロビジョニングプロセスがネットワーク経由で行われる場合（及び特に、プロビジョニングプロセスがＯＴＡで行われ、こうして潜在的に無線サービスであらゆるロケーションで行われる場合）、サービスプロバイダのサービスエリアとプランの比較及び／又はプランの選択をより容易に行い得る。同様に考えて、（潜在的にＯＴＡを含む）ネットワーク経由のｅＳＩＭの再プロビジョニングは、新しい物理ＳＩＭを取得し、古いＳＩＭを取り外し、新しいＳＩＭを装着するために、サービスプロバイダの店舗窓口へ行く、及び／又は配達を待つよりも簡単なサービスプロバイダの切り換えプロセスとなり得る。
【０００９】
さらに、サービスプロバイダは、サービスを伴うＵＥデバイスをプロビジョニングするためのより効率的及びコスト効率の良いメカニズムを気づく場合がある。実際のコストを意味する、物理的、着脱可能なＳＩＭカードの製造、保管、出荷、及びプロビジョニング全てが、サービスプロバイダにとって、不要となり得て、比較的コスト効率の良いネットワークベースのジャストインタイムのプロビジョニングプロセスに置き換えられて総コストは大幅に削減され得る。物理的な店舗窓口の運営コストの削減も可能になり得る。時には、より多くのプランがＯＴＡで販売され、サービスプラン及び対応する着脱可能なＳＩＭカードを販売するためにはより少ないスタッフ及び／又は店舗窓口しか必要とされない。
【００１０】
その上、実施形態はＳＩＭプロビジョニングを２つの部分、つまり例えば、様々な種類又はクラス（例えば、サービスプロバイダ、デバイスハードウェア、又は他の要素に基づく）に従い一部又は全部のＳＩＭに共通であり得る、共通ＳＩＭ情報、及び、加入者に固有であり得る、パーソナライズＳＩＭ情報に分割することを含み得るもので、それによってさらに、ｅＳＩＭプロビジョニングで柔軟性及び効率性を提供し得る。例えば、共通ＳＩＭ情報が該当するＵＥデバイスにプレロードされている場合、ＳＩＭのこの部分は通常、パーソナライズＳＩＭ情報よりもかなり大きいものになる可能性があるので、かなりの量のネットワーク帯域幅が節約され得る。他の利点もまた、この開示を考慮する時に当業者には明らかになるであろう。
【００１１】
このように、本開示は、ＵＥデバイスにおいてｅＳＩＭをプロビジョニングするそのような方法、そのような方法を実施するように構成されたＵＥデバイス、及び／又はそのような方法を実施するためにプロセッサによって実行可能なプログラム命令を記憶する、コンピュータアクセス可能メモリ媒体を対象としている。
【００１２】
ＵＥデバイスは、無線通信を行うための１つ以上のアンテナを含み得る。ＵＥデバイスはまた、プログラム命令を実行するように構成されたプロセッサを含み得る。さらに、ＵＥデバイスは、ＵＥデバイスによって実行可能なプログラム命令を記憶し得る、非一時的コンピュータアクセス可能メモリ媒体を含み得る。本方法は次のとおり実行され得る。
【００１３】
ｅＳＩＭをプロビジョニングするための要求が送信され得る。要求はＵＥデバイスにより第１のサーバに提供され得る。要求は、１つ以上のネットワーク（例えば、ＬＡＮ、ＷＡＮ、移動体通信ネットワーク、ＷＬＡＮ、ＷｉＭＡＸなど）経由で無線（例えば、通信事業者のネットワーク又はＷｉ−Ｆｉアクセスポイントを介して）又は有線の方式（例えば、Ｅｔｈｅｒｎｅｔ（登録商標）、光ケーブルなどを介して）で送信され得る。
【００１４】
ｅＳＩＭをプロビジョニングするための要求は、共通ＳＩＭ情報とパーソナライズＳＩＭ情報の両方の単一要求、又は、共通ＳＩＭ情報及び／若しくはパーソナライズＳＩＭ情報の個別の要求を含み得る。例えば、ｅＳＩＭには、ＵＥデバイスのｅＳＩＭにプレロード又はプレインストールされた共通ＳＩＭ情報が含まれる場合があり、そのような場合、ＵＥデバイスはパーソナライズＳＩＭ情報のみを要求すれば良いはずである。
【００１５】
共通ＳＩＭ情報は加入者に固有ではない情報でのＵＥデバイスのｅＳＩＭをプロビジョニングするためのものであり得、一方、パーソナライズＳＩＭ情報は加入者に固有の情報でのＵＥデバイスのｅＳＩＭをプロビジョニングするためのものであり得る。
【００１６】
第１のサーバは、例えば、共通ＳＩＭ情報がＵＥデバイスにプレロードされていない場合、ＵＥデバイスに共通ＳＩＭ情報を送信し得る。ＵＥデバイスは第１のサーバから共通ＳＩＭ情報を受信して、ＵＥデバイスのｅＳＩＭに共通ＳＩＭ情報をインストールし得る。ＵＥデバイスは共通ＳＩＭ情報がＵＥデバイスにインストールされたという表示を送信し得る。
【００１７】
第１のサーバは、パーソナライズＳＩＭ情報の要求を第２のサーバに送信し得る。いくつかの実施形態では、第１のサーバは、共通ＳＩＭ情報がＵＥデバイスにインストールされたという表示の受信に応じて、パーソナライズＳＩＭ情報の要求を第２のサーバに送信し得る。
【００１８】
代替として、ＵＥデバイスはパーソナライズＳＩＭ情報の要求を直接第２のサーバに送信し得る。第２のサーバはパーソナライズＳＩＭ情報をＵＥデバイス（又は、パーソナライズＳＩＭ情報をＵＥデバイスに送信し得る第１のサーバ）に送信し得る。いずれの場合でも、ＵＥデバイスはパーソナライズＳＩＭ情報を受信し得る。
【００１９】
必要に応じて、パーソナライズＳＩＭ情報は、例えば、キャリアキーを使用して暗号化され得る。こうして、パーソナライズＳＩＭ情報は暗号化形式でＵＥデバイスに送信され得る。キャリアキーは、共通ＳＩＭ情報の一部として、又は別の方法でＵＥデバイスに提供され得る。パーソナライズＳＩＭ情報が暗号化される場合、ＵＥデバイスは、例えば、共通ＳＩＭ情報の一部としてＵＥデバイスに提供されたキャリアキーを使用して、パーソナライズＳＩＭ情報を復号し得る。
【００２０】
ＵＥデバイスはＵＥデバイスのｅＳＩＭにパーソナライズＳＩＭ情報をインストールし得る。ｅＳＩＭは、複数の方法でＵＥデバイスに記憶し得ることに注意していただきたい。例えば、ｅＳＩＭは組み込み型スマートカード（例えば、ｅＵＩＣＣ）に記憶され得る。さらに、ｅＳＩＭの一部又は全部は、インストールされ、デバイスメモリに記憶され、デバイスプロセッサ（例えば、アプリケーションプロセッサ）によって実行され得る。いくつかの実施形態では、ＵＥは着脱可能なスマートカード（例えば、着脱可能なＵＩＣＣ）のＳＩＭにパーソナライズＳＩＭ情報をインストールし得ることにもまた、注意していただきたい。
【００２１】
共通ＳＩＭ情報及びパーソナライズＳＩＭ情報がＵＥデバイスのｅＳＩＭにインストールされると、ＵＥデバイスは完全にプロビジョニングされ得て、ＵＥデバイスはｅＳＩＭを使用して通信事業者のネットワークにアクセスでき得る。
【００２２】
必要に応じて、本方法は、ｅＳＩＭの再プロビジョニング又は追加プロビジョニングの要求をさらに含み得る。例えば、ユーザは、通信事業者の変更又は別の通信事業者からの追加のサービス提供を受けることを望む場合がある。この場合、ｅＳＩＭのプロビジョニング情報の第２の要求が、例えば、ｅＳＩＭサーバ（又は異なるｅＳＩＭサーバ）に送信され得る。これに応じて、第２のパーソナライズＳＩＭ情報（及び場合によっては、第２の共通ＳＩＭ情報）がＵＥデバイスにより受信され得る。第２のパーソナライズＳＩＭ情報（及び該当する場合は第２の共通ＳＩＭ情報）がｅＳＩＭにインストールされ得る。第１のパーソナライズＳＩＭ情報はｅＳＩＭから消去され得るか（例えば、ユーザがもはや第１のパーソナライズＳＩＭ情報を提供した通信事業者の加入者ではない場合）、又は第２のパーソナライズＳＩＭ情報と共にｅＳＩＭに残り得る（例えば、ユーザが第１のパーソナライズＳＩＭ情報を提供した通信事業者と第２のパーソナライズＳＩＭ情報を提供した通信事業者の両方の加入者である場合）。
【００２３】
したがって、本明細書の本開示はまた、ｅＳＩＭをプロビジョニングする方法、そのような方法を実施するように構成されたコンピュータシステム、及び／又はそのような方法を実施するためにプロセッサによって実行可能なプログラム命令を記憶する、コンピュータアクセス可能メモリ媒体を対象としている。本方法は、一例として、ｅＳＩＭサーバによって実施され得る。本方法は次のとおり行われ得る。
【００２４】
ｅＳＩＭをプロビジョニングするための要求が受信され得る。要求がＵＥデバイスから受信され得る。要求が、１つ以上の有線又は無線ネットワークなどの１つ以上のネットワークを介して受信され得る。
【００２５】
共通ＳＩＭ情報がＵＥデバイスに送信され得る。ＵＥデバイスは、共通ＳＩＭ情報をインストールして、共通ＳＩＭ情報がインストールされたという表示を送信し得、これが受信され得る。
【００２６】
パーソナライズＳＩＭ情報の要求がパーソナライズサーバに送信され得る。いくつかの実施形態では、要求は、共通ＳＩＭ情報がインストールされたというＵＥデバイスからの表示の受信に、少なくとも一部、基づいて送信され得る。
【００２７】
パーソナライズＳＩＭ情報は、パーソナライズサーバから受信され得る。必要に応じて、パーソナライズＳＩＭ情報は暗号化形式で受信され得る。次にパーソナライズＳＩＭ情報はＵＥデバイスに送信され得る。パーソナライズＳＩＭ情報が暗号化形式で受信された場合、パーソナライズＳＩＭ情報もまた暗号化形式で送信され得る。
【００２８】
パーソナライズＳＩＭ情報がインストールされたという表示がＵＥデバイスから受信され得る。共通ＳＩＭ情報及びパーソナライズＳＩＭ情報は、ＵＥデバイスにおいてｅＳＩＭをプロビジョニングするように構成され得る。したがって、共通ＳＩＭ情報及びパーソナライズＳＩＭ情報がＵＥデバイスにインストールされた後、ＵＥデバイスのｅＳＩＭは完全にプロビジョニングされ得る。（例えば、完全にプロビジョニングされた）ｅＳＩＭはＵＥデバイスが通信事業者のネットワークにアクセスできるようにし得る。
【００２９】
好適な実施形態の次の詳細な説明を、次の図面と共に考慮すれば、本主題のより良い理解を得ることができる。
【図面の簡単な説明】
【００３０】
【図１】一実施形態に係る、例示的な（かつ簡略化された）無線通信システムの図である。
【図２】一実施形態に係る、ユーザ機器と通信する基地局の図である。
【図３】一実施形態に係る、ユーザ機器デバイスの例示的なブロック図である。
【図４】一実施形態に係る、ユーザ機器デバイスのｅＳＩＭをパーソナライズする方法を例示する流れ図である。
【図５】一実施形態に係る、ｅＳＩＭをパーソナライズするプロセスを表す例示的な流れを示す図である。
【発明を実施するための形態】
【００３１】
本明細書に記載される特徴は種々の変更及び代替形態を受けるが、その特定の実施形態が例として図面に示され、本明細書において詳細に説明される。しかし、図面及びそれらに対する詳細な説明は、開示されている特定の形態に限定することを意図されているのではなく、逆にその意図は、添付の請求項によって定義されている全ての本主題の趣旨及び範囲内に入る全ての変更、均等物及び代替物を範囲に含むことを理解されたい。
【００３２】
（頭字語）
本特許出願では、以下の頭字語
３ＧＰＰ：第３世代パートナーシッププロジェクト
３ＧＰＰ２：第３世代パートナーシッププロジェクト２
ＧＳＭ（登録商標）：移動通信用グローバルシステム
ＵＭＴＳ：ユニバーサル移動体通信システム
ＬＴＥ：ロングタームエボリューション
ＳＩＭ：加入者識別モジュール
ｅＳＩＭ：組み込み型ＳＩＭ
ＵＩＣＣ：ユニバーサル集積回路カード
ｅＵＩＣＣ：組み込み型ＵＩＣＣ
ＩＭＳＩ：国際移動電話加入者識別番号
ＭＣＣ：国識別コード
ＭＮＣ：事業者識別コード
ＰＩＮ：個人識別番号
ＰＵＫ：ＰＩＮロック解除コード
ＯＴＡ：無線通信を経由して（Over−The−Air）
ＨＬＲ：ホームロケーションレジスタ（Home Location Register）、
が使用される。
【００３３】
（用語）
以下は、本出願において用いられている用語集である。
【００３４】
メモリ媒体  −  様々な種類のメモリデバイス又は記憶デバイスの任意のもの。用語「メモリ媒体」は、インストール媒体、例えば、ＣＤ−ＲＯＭ、フロッピー（登録商標）ディスク１０４、又はテープデバイス；ＤＲＡＭ、ＤＤＲ  ＲＡＭ、ＳＲＡＭ、ＥＤＯ  ＲＡＭ、ラムバスＲＡＭなどのコンピュータシステムメモリ又はランダムアクセスメモリ；フラッシュ、磁気媒体、例えば、ハードドライブ、又は光記憶装置、等の不揮発性メモリ；レジスタ、又はその他の同様の種類のメモリ要素等を含むことが意図されている。メモリ媒体は他の種類のメモリ、並びにそれらの組み合わせも含んでもよい。加えて、メモリ媒体は、プログラムが実行される第１のコンピュータシステム内に配置されてもよく、又はインターネット等のネットワーク経由で第１のコンピュータシステムに接続される第２の別のコンピュータシステム内に配置されてもよい。後者の例では、第２のコンピュータシステムがプログラム命令を第１のコンピュータシステムに実行用に提供してよい。用語「メモリ媒体」は、異なる場所、例えば、ネットワーク経由で接続された異なるコンピュータシステム内に存在し得る２つ以上のメモリ媒体を含んでもよい。メモリ媒体は、１つ以上のプロセッサによって実行され得る（例えば、コンピュータプログラムとして組み込まれた）プログラム命令を記憶し得る。
【００３５】
キャリア媒体  −  上述したようなメモリ媒体、並びにバス、ネットワーク等の物理的伝送媒体、及び／又は電気的信号、電磁気的信号、又はデジタル信号等の信号を伝達するその他の物理的伝送媒体。
【００３６】
プログラム可能ハードウェア要素  −  プログラム可能インターコネクトを介して接続される複数のプログラム可能機能ブロックを含む種々のハードウェアデバイスを含む。例としては、ＦＰＧＡ（フィールドプログラマブルゲートアレイ）、ＰＬＤ（プログラム可能論理デバイス）、ＦＰＯＡ（フィールドプログラマブルオブジェクトアレイ）、及びＣＰＬＤ（複合ＰＬＤ）が挙げられる。プログラム可能機能ブロックは、細かい粒度のもの（組み合わせ論理又はルックアップテーブル）から粗い粒度のもの（算術論理演算装置又はプロセッサコア）にまで及んでよい。プログラム可能ハードウェア要素はまた「再構成可能論理」と呼ばれてもよい。
【００３７】
コンピュータシステム  −  パーソナルコンピュータシステム（ＰＣ）、メインフレームコンピュータシステム、ワークステーション、ネットワーク装置、インターネット装置、携帯情報端末（ＰＤＡ）、個人用通信装置、スマートフォン、テレビシステム、グリッドコンピューティングシステム、又はその他のデバイス、あるいはデバイスの組み合わせを含む、様々な種類のコンピューティング又は処理システムの任意のもの。一般的に、用語「コンピュータシステム」は、メモリ媒体からの命令を実行する少なくとも１つのプロセッサを有するあらゆるデバイス（又はデバイスの組み合わせ）を包含するように広義に定義され得る。
【００３８】
ユーザ機器（ＵＥ）（又は「ＵＥデバイス」）  −  移動式又は携帯式であり、無線通信を実行する様々な種類のコンピュータシステムデバイスの任意のもの。ＵＥデバイスの例としては、携帯電話又はスマートフォン（例えば、ｉＰｈｏｎｅ（商標）、Ａｎｄｒｏｉｄ（商標）ベースの電話）、ポータブルゲーム機器（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ＰＤＡ、ポータブルインターネット機器、音楽プレーヤ、データ記憶デバイス、又は他のハンドヘルドデバイスが挙げられる。一般に、用語「ＵＥ」又は「ＵＥデバイス」は、ユーザによって容易に持ち運ばれ、無線通信が可能な、あらゆる電子的、コンピューティング及び／又は遠隔通信デバイス（又はデバイスの組み合わせ）を包含するように幅広く定義され得る。
【００３９】
基地局  −  用語「基地局」は、その通常の意味の全範囲を有し、少なくとも、固定ロケーションに設置され、無線電話システム又は無線システムの一部として通信するために使用される無線通信局を含む。
【００４０】
自動的に−アクション又は動作を直接指定又は実行するユーザ入力を用いることなく、コンピュータシステム（例えば、コンピュータシステムによって実行されるソフトウェア）又はデバイス（例えば、回路、プログラム可能ハードウェア要素、ＡＳＩＣ等）によって実行されるアクション又は動作に言及する。それゆえ、用語「自動的に」は、動作を直接実行するためにユーザが入力を提供する、ユーザによって手作業で実行又は指定される操作とは対照的である。自動手順は、ユーザによって提供される入力によって開始されてもよいが、「自動的に」実行される後続のアクションはユーザによって指定されない、すなわち、実行するべきそれぞれのアクションをユーザが指定する、「手作業で」は実行されない。例えば、ユーザが、それぞれのフィールドを選択し、（例えば、情報を打ち込むこと、チェックボックス、ラジオ選択を選択すること等によって）情報を指定する入力を提供することによって電子フォームに記入することは、たとえ、コンピュータシステムはユーザアクションに応答してフォームを更新しなければならないとはいえ、手作業でフォームに記入することである。コンピュータシステム（例えば、コンピュータシステム上で実行するソフトウェア）がフォームのフィールドを分析し、フィールドへの答えを指定するユーザ入力を全く用いずにフォームに記入する場合、フォームはコンピュータシステムによって自動的に記入され得る。上述のように、ユーザはフォームの自動記入を呼び出してもよいが、フォームの実際の記入には関わらない（例えば、ユーザはフィールドへの答えを手作業で指定するのではなく、それらは自動的に埋められる）。本明細書は、ユーザが取ったアクションに応答して動作が自動的に実行される種々の例を提供する。
【００４１】
（図１と図２−通信システム）
図１は、例示的な（かつ簡略化された）無線通信システムを示している。図１のシステムはあり得るシステムの単なる一例にすぎず、実施形態は所望に応じて種々のシステムの任意のものにおいて実行されてよいことに留意されたい。
【００４２】
示されているように、例示的な無線通信システムは、伝送媒体を介して１つ以上のユーザ機器１０６−１〜１０６−Ｎと通信する基地局１０２を含む。本明細書では、ユーザ機器の各々を「ユーザ機器」（ＵＥ）と呼ぶあることがある。このような訳で、ユーザ機器はＵＥ又はＵＥデバイスと呼ばれる。
【００４３】
基地局１０２は、無線基地局装置（ＢＴＳ）又はセルサイトであってよく、ユーザ機器１０６−１〜１０６−Ｎとの無線通信を可能にするハードウェアを有する。基地局１０２はまた、ネットワーク１００と通信する能力を有していてもよい。したがって、基地局１０２は、ユーザ機器間の通信、及び／又はユーザ機器とネットワーク１００との間の通信を円滑にすることができる。
【００４４】
基地局１０２及びユーザ機器は、ＧＳＭ（登録商標）、ＣＤＭＡ、ＷＬＬ、ＷＡＮ、ＷｉＦｉ、ＷｉＭＡＸなどの種々の無線通信技術又は遠隔通信規格のいずれかを使用する伝送媒体を介して通信するように構成され得る。同じ又は異なるセルラー通信規格により運用される基地局１０２及び他の類似した基地局はこうしてセルのネットワークとして提供され得、１つ以上のセルラー通信規格により広い地理的エリア全体で、ＵＥ  １０６及び類似したデバイスに継続的に、又はほぼ継続的に重畳サービスを提供し得る。
【００４５】
ＵＥ  １０６は、複数の無線通信規格を使用して通信でき得る。例えば、ＵＥ  １０６は、３ＧＰＰ遠隔通信規格（ＬＴＥなど）又は３ＧＰＰ２遠隔通信規格（ＣＤＭＡ２０００など）のいずれかを使用して通信するように構成されているはずである。ＵＥ  １０６はさらに、又は代替として、ＷＬＡＮ、Ｂｌｕｅｔｏｏｔｈ（登録商標）、１つ以上の全地球航法衛星システム（ＧＮＳＳ、例えばＧＰＳ又はＧＬＯＮＡＳＳ）、１つ及び／又はそれ以上のモバイルテレビ放送規格（例えば、ＡＴＳＣ−Ｍ／Ｈ又はＤＶＢ−Ｈ）などを使用して通信するように構成され得る。無線通信規格の（２つを超える遠隔通信規格を含む）他の組み合わせもまた、可能である。
【００４６】
図２は、基地局１０２と通信するユーザ機器１０６（例えば、装置１０６−１〜１０６−Ｎのうちの１つ）を示している。ＵＥ  １０６は、携帯電話、ハンドヘルドデバイス、コンピュータ又はタブレット等の無線ネットワーク接続性を有するデバイス、あるいは実質上あらゆる種類の無線デバイスであってよい。
【００４７】
ＵＥ  １０６は、メモリ内に記憶されたプログラム命令を実行するように構成されたプロセッサを含んでもよい。ＵＥ  １０６は、そのような記憶された命令を実行することによって、本明細書に記載された方法実施形態のいずれかを実行することができる。いくつかの実施形態では、ＵＥ  １０６は、本明細書に記載されている方法実施形態のうちの任意のもの、又は本明細書に記載されている方法実施形態のうちの任意のものの任意の部分を実行するように構成されたＦＰＧＡ（フィールドプログラマブルゲートアレイ）等のプログラム可能ハードウェア要素を含んでもよい。
【００４８】
いくつかの実施形態では、ＵＥ  １０６は複数の無線通信プロトコルのいずれかを使用して通信するように構成され得る。例えば、ＵＥ  １０６はＣＤＭＡ  ２０００、ＬＴＥ、ＷＬＡＮ、又はＧＮＳＳの２つ以上を使用して通信するように構成され得る。無線通信規格の他の組み合わせもまた、可能である。
【００４９】
ＵＥ  １０６には、１つ以上の無線通信プロトコルを使用して通信するための１つ以上のアンテナを含み得る。いくつかの実施形態では、ＵＥ  １０６は、複数の無線通信規格間の受信及び／又は送信チェーンの１つ以上のパーツを共有し得る。共有無線機には、単一のアンテナを含めてよく、又は無線通信を行うための複数のアンテナ（例えば、ＭＩＭＯ用）を含めてよい。代替として、ＵＥ  １０６は、通信するように構成された各無線通信プロトコルのための別個の送信及び／又は受信チェーン（例えば、別々のアンテナ及び他の無線コンポーネントを含む）を含み得る。別の代替として、ＵＥ  １０６は、複数の無線通信プロトコルの間で共有される１つ以上の無線機、及び単一の無線通信プロトコルによって独占的に使用される１つ以上の無線機を含み得る。例えば、ＵＥ  １０６はＬＴＥ又は１ｘＲＴＴのいずれかを使用して通信するための共有無線機、並びにＷｉ−Ｆｉ及びＢｌｕｅｔｏｏｔｈ（登録商標）のそれぞれを使用して通信するための別々の無線機を含み得る。他の構成もまた、可能である。
【００５０】
（図３−ＵＥの例示的なブロック図）
図３は、ＵＥ  １０６の例示的なブロック図を示している。示されているように、ＵＥ  １０６は、種々の目的のための部分を含み得るシステムオンチップ（ＳＯＣ）２００を含んでもよい。例えば、示されているように、ＳＯＣ  ２００は、ＵＥ  １０６のためのプログラム命令を実行し得るプロセッサ２０２と、図形処理を実行し、ディスプレイ２４０に表示信号を提供することができる表示回路２０４とを含んでよい。プロセッサ２０２はまた、メモリ管理ユニット（ＭＭＵ）２４０に結合されてもよく、ＭＭＵは、プロセッサ２０２からアドレスを受信し、それらのアドレスを、メモリ（例えば、メモリ２０６、読み出し専用メモリ（ＲＯＭ）２５０、ＮＡＮＤフラッシュメモリ２１０）内の位置に変換し、並びに／又は表示回路２０４、無線２３０、コネクタＩ／Ｆ  ２２０、及び／若しくはディスプレイ２４０等の、その他の回路又はデバイスに変換するように構成されてよい。ＭＭＵ  ２４０は、メモリ保護及びページテーブル変換又はセットアップを実行するように構成されてよい。いくつかの実施形態では、ＭＭＵ  ２４０はプロセッサ２０２の一部分として含まれてもよい。
【００５１】
図示の実施形態では、ＲＯＭ  ２５０は、起動又は初期化時にプロセッサ２０２によって実行され得るブートローダ２５２を含んでもよい。また示されているように、ＳＯＣ  ２００はＵＥ  １０６の種々の他の回路に結合されてもよい。例えば、ＵＥ  １０６は、（例えば、ＮＡＮＤフラッシュ２１０を含む）様々な種類のメモリ、（例えば、コンピュータシステムに結合するための）コネクタインタフェース２２０、ディスプレイ２４０、及び（例えば、ＬＴＥ、ＣＤＭＡ２０００、Ｂｌｕｅｔｏｏｔｈ（登録商標）、ＷｉＦｉなどのための）無線通信回路を含み得る。
【００５２】
ＵＥデバイス１０６は、基地局及び／又は他のデバイスとの無線通信を実行するために、少なくとも１つのアンテナ、及び場合によっては複数のアンテナを含み得る。例えば、ＵＥ装置１０６は、アンテナ２３５及び２３７を使用して、無線通信を実行することができる。ＵＥは、いくつかの実施形態では、複数の無線通信規格を使用して無線で通信するように構成され得る。
【００５３】
本明細書で記述されるように、ＵＥ  １０６は、この開示の実施形態に従い、ＵＥデバイスにおいてＳＩＭ又はｅＳＩＭをプロビジョニングするように構成された、ＵＥデバイスを動作させるためのハードウェア及びソフトウェアコンポーネントを含み得る。
【００５４】
示されているように、ＵＥ  １０６にはＳＩＭ（加入者識別モジュール）３１０を含み得る。ＳＩＭは、いくつかの実施形態では、スマートカードのアプリケーションとして実施され得る。いくつかの場合、スマートカードそれ自体がＳＩＭカードと呼ばれることもある。一例として、ＳＩＭ  ３１０はユニバーサル集積回路カード（ＵＩＣＣ）で実行するアプリケーションであり得る。必要に応じて、スマートカードはまた、１つ以上の他のアプリケーションを含み（例えば、記憶し、及び／又は実行し）得る。スマートカードは着脱可能であり得る。
【００５５】
代替として、ＳＩＭは組み込み型ＳＩＭ（ｅＳＩＭ）として実施され得る。この場合、ＳＩＭはデバイスのハードウェア及び／又はソフトウェアにおいて実施され得る。例えば、いくつかの実施形態では、ＵＥ  １０６は、組み込み型ＵＩＣＣ（ｅＵＩＣＣ）を含み得るが、例えば、ＵＥ  １０６に内蔵されるデバイスは着脱不可能である。ｅＵＩＣＣはプログラム可能であり得、そのため、ｅＳＩＭはｅＵＩＣＣで実施され得る。他の実施形態では、ｅＳＩＭはＵＥ  １０６ソフトウェアに、例えば、ＵＥ  １０６内のプロセッサ（プロセッサ２０２など）で実行するメモリ媒体（メモリ２０６など）に記憶されるプログラム命令としてインストールされ得る。
【００５６】
必要に応じて、ＳＩＭはさらに、又は代替として、この開示の実施形態に従い、着脱可能なスマートカード（例えば、着脱可能なＳＩＭカード）にインストールされ得、例えば、ＳＩＭは着脱可能なＵＩＣＣにインストールされ、ネットワーク経由で（例えば、無線通信を経由して（ＯＴＡ））プロビジョニング及び／又は再プロビジョニングされるはずであることに留意されたい。したがって、本開示のいくつかの態様は主に、ｅＳＩＭのプロビジョニングを参照して記述されるが、少なくともいくつかのそのような態様は、着脱可能なスマートカードでのＳＩＭのプロビジョニングに、必要に応じて、類似した仕方での使用のために変更され得ることを認識されたい。
【００５７】
ＳＩＭ  ３１０は、ユーザ及び／又はデバイスに固有のパーソナライズ情報（例えば、パーソナライズ情報）、及びユーザ及び／又はデバイスに固有ではない情報（例えば、共通情報）を含む、いくつかの種類の情報を含み得る。共通部分は、一部又は全部の種類のＳＩＭの間（例えば、同じプロファイルのＵＩＣＣ／ｅＵＩＣＣの間）で共通となり得るファイル、データ構造、及び／又はアプリケーションを含み得る。パーソナライズ情報は、例えば、通信事業者ネットワークに対するユーザ／ユニットを特定する情報、パーソナライズ認可及び／又はセキュリティ情報などの、ユーザ／ユニットに固有のデータを含み得る。
【００５８】
一例として、パーソナライズ情報は、通信事業者のネットワークに対して加入者を特定する国際移動電話加入者識別番号（ＩＭＳＩ）を含み得る。例えば、ＩＭＳＩは、加入者の「ホーム」国識別コード（ＭＣＣ）及び事業者識別コード（ＭＮＣ）、並びに加入者に対して一意な移動電話加入者識別番号（ＭＳＩＮ）を含む番号とし得る。パーソナライズ情報はさらに、又は代替として、個人識別番号（ＰＩＮ）（例えば、ユーザが自身のＳＩＭにアクセスするために使用し得るコード）、ＰＩＮロック解除コード及び／又はＰＩＮロック解除キー（ＰＵＣ／ＰＵＫ）、並びに１つ以上の認証キー（Ｋ／Ｋｉ）を含み得る。必要に応じて、種々の他のパーソナライズ情報のいずれかがさらに、又は代替として使用され得る。
【００５９】
上述のとおり、ＵＥデバイス１０６は、いくつかの実施形態では、ｅＳＩＭと共に使用するように構成され得る。ＵＥデバイス１０６は当初、部分的に（例えば、共通ＳＩＭ情報で）プロビジョニングされたｅＳＩＭを含む場合もあれば、まだｅＳＩＭを含まない場合もある。いずれの場合も、ｅＳＩＭの少なくともパーソナライズ部分に関してＵＥデバイス１０６をプロビジョニングするためのメカニズムが必要とされ得る。図４及びそれに関連して提供される説明は、ＵＥデバイスにおいてパーソナライズ情報でｅＳＩＭをプロビジョニングするための一方法に関するものである。
【００６０】
ＵＥ装置１０６のプロセッサ２０２は、例えば、メモリ媒体（例えば、非一時的コンピュータ可読メモリ媒体）に記憶されたプログラム命令を実行することによって、本明細書に記載される方法の一部又は全部を実施するように構成され得る。他の実施形態では、プロセッサ２０２は、ＦＰＧＡ（フィールドプログラマブルゲートアレイ）等のプログラム可能なハードウェア要素として、又はＡＳＩＣ（特定用途向け集積回路）として構成され得る。
【００６１】
（図４−フローチャート）
図４は、実施形態の１つのセットに従い、ＵＥデバイスにおいてパーソナライズ情報でｅＳＩＭをプロビジョニングする方法を例示するフローチャートである。本方法は、少なくとも部分的に、ＵＥデバイスによって実施され得る。本方法のいくつかの態様は、１つ以上のサーバコンピュータによって実施され得る。例えば、ＵＥデバイスは、ＳＩＭプロビジョニング情報をＵＥデバイスに提供する、１つ以上のサーバにＳＩＭプロビジョニング情報を要求するように構成され得る。次いで、ＵＥデバイスは、ＵＥデバイスのｅＳＩＭを、ＳＩＭプロビジョニング情報でインストール及び／又はプロビジョニングし得る。このプロセスは、静的にプロビジョニングされる、物理的に着脱可能なＳＩＭカードを上回って、多数の利点を提供し得る。
【００６２】
図４に示される方法は、他のデバイスの中でもとりわけ、上記の図に示されているシステム又はデバイスの任意のものと共に用いることができる。種々の実施形態において、図示の方法要素の一部は、同時に実行されてもよく、図示のものとは異なる順序で実行されてもよく、又は省略されてもよい。必要に応じて、追加の方法要素も実行され得ることにもまた、留意されたい。
【００６３】
ＵＥデバイスは共通ＳＩＭ情報を取得し得る。共通ＳＩＭ情報は、いくつかの実施形態では、ＵＥデバイスにおいてユーザに固有ではない情報でｅＳＩＭをプロビジョニングするために構成され得る。言い換えれば、共通ＳＩＭ情報は、一部又は全部の種類のＳＩＭに共通であり得るファイル、データ構造、及び／又はアプリケーションを含み得るはずである。例えば、アドレスブックのデータ構造及び／又はアプリケーションは、共通ＳＩＭ情報に含まれ得るはずである。共通ＳＩＭ情報はまた、いくつかの実施形態では、パーソナライズＳＩＭ情報と共に使用するためのアプリケーション又はファイル、並びに／又はスマートカードの特定の種類若しくはクラスを構成するため（例えば、ｅＳＩＭが記憶／実行されるｅＵＩＣＣを構成するため）のファームウェア若しくはソフトウェアも含み得るはずである。一例示的実施形態では、共通ＳＩＭ情報は、パーソナライズＳＩＭ情報を復号するため（及び／又は他の目的のため）の通信事業者のＯＴＡキーを含み得る。
【００６４】
共通ＳＩＭ情報は、種々の方法のいずれかでＵＥデバイスによって取得され得る。実施形態の１つのセットによると、ＵＥデバイスは一部又は全部の共通ＳＩＭ情報でプレロード／事前構成され得る。例えば、特定の種類のｅＵＩＣＣを含むＵＥデバイスは、当該ｅＵＩＣＣでのｅＳＩＭの実行に固有の情報で構成され得る、及び／又は、特定の共通ＳＩＭ情報は、オペレーティングシステム（ＯＳ）ソフトウェアと同時にＵＥデバイスにインストールされ得る。
【００６５】
代替として又は追加で、共通ＳＩＭ情報の一部又は全部はネットワーク又はネットワークの組み合わせを介して取得され得る。ネットワークは、セルラーサービスプロバイダのネットワーク、有線又は無線ローカルエリアネットワーク（ＬＡＮ）、ワイドエリアネットワークなどを含む、いずれかの種類のネットワークであり得る。
【００６６】
ＳＩＭは、いくつかの場合、セルラーサービスプロバイダのネットワークにアクセスする必要があることに留意されたい。移動体通信ネットワーク経由でのｅＳＩＭのプロビジョニングを円滑にするために、ＵＥデバイスには、このようにいくつかの場合、当初、通信事業者のネットワークへの（例えば、限定）アクセスを提供し得る、「ブートストラップｅＳＩＭ」が提供され得る。例えば、ブートストラップｅＳＩＭは、ｅＳＩＭのプロビジョニングの目的のためだけのネットワークへのアクセスを提供し得る。次にユーザは、通信事業者のネットワークを介してｅＳＩＭをプロビジョニングするためのここに開示されている方法の実施形態を開始し得る。いくつかの実施形態では、ここに開示されている方法の実施形態を介してプロビジョニングされたｅＳＩＭは、ブートストラップｅＳＩＭとは異なる通信事業者のネットワーク（例えば、異なるサービスプロバイダのネットワーク）へのアクセスを提供し得る。当然、有線又は無線ホームインターネット接続を介してなど、ここに記載している方法によるｅＳＩＭのプロビジョニングの他の手段もまた可能であることにもまた、留意されたい。
【００６７】
したがって、いくつかの実施形態では、ユーザがＵＥデバイスを取得すると、ユーザはサービスプロバイダ／通信事業者などのｅＳＩＭプロバイダに（例えば、ＵＥデバイスを介して）連絡して、自身のＵＥデバイスのためのｅＳＩＭのプロビジョニングを要求し得る。こうして、ＵＥデバイスはｅＳＩＭのプロビジョニングの要求を送信し得る。
【００６８】
要求は第１のサーバ（「ｅＳＩＭサーバ」）に提供され得る。第１のサーバは、例えば、ｅＳＩＭプロバイダ（例えば、サービスプロバイダ）によって運用され得る。第１のサーバは、共通ＳＩＭ情報の一部又は全部をＵＥデバイスに（例えば、ネットワーク／ＯＴＡを介して）提供し得る。
【００６９】
次に４０２で、ＵＥデバイスは共通ＳＩＭ情報をＵＥデバイスのｅＳＩＭにインストールし得る。共通ＳＩＭ情報のインストールは、いくつかの実施形態では、ｅＳＩＭの基本的構造を提供し得る。ｅＳＩＭは、ＵＥデバイスのスマートカード（例えば、ｅＵＩＣＣなどの組み込み型スマートカード）によって、インストール／記憶／実行され得る。代替として、ｅＳＩＭはインストールされ、デバイスメモリに記憶され、デバイスＣＰＵによって実行され得る。別の代替として、ｅＳＩＭは、スマートカード、デバイスメモリ、及びデバイスＣＰＵの組み合わせによってインストール／記憶／実行され得る。必要に応じて、ＵＥデバイスは、例えば、着脱可能なＵＩＣＣなどの着脱可能なスマートカードなど、ＵＥデバイスに組み込まれていないＳＩＭに共通ＳＩＭ情報をインストールし得ることにもまた、留意されたい。
【００７０】
ＵＥデバイスは共通ＳＩＭ情報のインストールが成功したという表示を提供し得る。このことは重要である。というのも、いくつかの場合、例えば、共通ＳＩＭ情報にはパーソナライズＳＩＭ情報のインストール又は使用に必要な情報が含まれるはずなので、パーソナライズＳＩＭ情報が使用可能になるには、共通ＳＩＭ情報の正常なインストールが要求され得るからである。表示はｅＳＩＭサーバに提供され得る。
【００７１】
４０４で、パーソナライズＳＩＭ情報が要求され得る。パーソナライズＳＩＭ情報の要求は、ｅＳＩＭのプロビジョニングの要求に本質的に含まれ得る。例えば、ｅＳＩＭのプロビジョニングの要求には、共通ＳＩＭ情報及びパーソナライズＳＩＭ情報の両方の要求を含み得る。代替として、パーソナライズＳＩＭ情報のみの要求が作成され得る。例えば、共通ＳＩＭ情報がＵＥデバイスのｅＳＩＭにプレロードされている場合、ＵＥデバイスはパーソナライズＵＥ情報のＯＴＡ要求のみを生成し得る。
【００７２】
パーソナライズＳＩＭ情報の要求は、ネットワーク経由で又はネットワークの組み合わせを経由して送信され得る。パーソナライズＳＩＭ情報の要求は第１のサーバに（例えば、ｅＳＩＭのプロビジョニングの要求の一部として）送信され得るか、又は代替として、第２のサーバ（「パーソナライズサーバ」）に送信され得る。言い換えれば、いくつかの実施形態では、ｅＳＩＭのプロバイダがｅＳＩＭサーバ（例えば、共通ＳＩＭ情報の提供の役割）及びパーソナライズサーバ（例えば、パーソナライズＳＩＭ情報の提供の役割）を運用し得る。いくつかの実施形態では、パーソナライズＳＩＭ情報の要求は共通ＳＩＭ情報の要求と共に（又は、共通ＳＩＭ情報の要求とは無関係に）ｅＳＩＭサーバに送信され得、ｅＳＩＭサーバはパーソナライズＳＩＭ情報の要求をパーソナライズサーバに送信し得る。
【００７３】
パーソナライズサーバはパーソナライズＳＩＭ情報を提供し得る。パーソナライズＳＩＭ情報は、種々の実施形態に従い、様々な情報のいずれかを含み得る。通常、パーソナライズＳＩＭ情報は、ＵＥデバイスにおいてユーザ（加入者）に固有の情報でｅＳＩＭをプロビジョニングするために構成され得る。例えば、パーソナライズＳＩＭ情報は、国際移動電話加入者識別番号（ＩＭＳＩ）、個人識別番号（ＰＩＮ）、ＰＩＮロック解除キー（ＰＵＫ）、及び１つ以上の認可キー（Ｋ／Ｋｉセット）を含み得る。
【００７４】
いくつかの実施形態では、パーソナライズサーバは、パーソナライズ情報の要求に応答してパーソナライズＳＩＭ情報を生成し得る。代替として、パーソナライズ情報は、例えば、ネットワークの負荷を低減するために、事前に生成され得る。
【００７５】
いくつかの実施形態では、パーソナライズサーバはサービスプロバイダ／通信事業者のホームロケーションレジスタ（ＨＬＲ）及びプロビジョニングシステムとインタフェースを取り得る。例えば、パーソナライズＳＩＭ情報をＵＥデバイスに提供する前に、ＵＥデバイスに提供されるパーソナライズＳＩＭ情報の特定のセットのためのサービスをアクティブ化することは望ましい場合がある。その結果、ＵＥデバイスには、自身のｅＳＩＭのプロビジョニングの完了時にサービスが提供され得る。したがって、いくつかの実施形態では、パーソナライズサーバは、パーソナライズＳＩＭ情報のセットのためのサービスをアクティブ化するための要求をＨＬＲ／プロビジョニングシステムに送信し得る。次に、ＨＬＲ／プロビジョニングシステムは、パーソナライズＳＩＭ情報のセットのためのサービスをアクティブ化して、アクティブ化が成功したという表示をパーソナライズサーバに提供し得る。
【００７６】
種々の実施形態で、パーソナライズＳＩＭ情報はＵＥに直接提供され得るか（例えば、要求がＵＥからパーソナライズサーバに提供された場合）又はｅＳＩＭサーバに提供され（例えば、要求がｅＳＩＭサーバからパーソナライズサーバに渡された場合）、それからＵＥデバイスに提供され得る。
【００７７】
いくつかの実施形態では、パーソナライズサーバはパーソナライズＳＩＭ情報を暗号化し得る。例えば、パーソナライズＳＩＭ情報は通信事業者のＯＴＡキーを使用して暗号化され得る。通信事業者のＯＴＡキーは共通ＳＩＭ情報に含まれているはずで、したがってパーソナライズＳＩＭ情報の復号のためにＵＥデバイスで使用でき得る。パーソナライズＳＩＭ情報の暗号化の他の方法もまた、使用可能である。パーソナライズＳＩＭ情報の暗号化は特に、パーソナライズＳＩＭ情報がｅＳＩＭサーバによりルーティングされる場合、例えば、ｅＳＩＭサーバのプレーンコンテンツのパーソナライズＳＩＭ情報の覗き見を排除するために望ましい場合がある。
【００７８】
４０６で、パーソナライズＳＩＭ情報は、ＵＥデバイスによって受信され得る。パーソナライズＳＩＭ情報は、ｅＳＩＭサーバから、又はパーソナライズサーバから受信され得る。上述のとおり、いくつかの実施形態では、パーソナライズＳＩＭ情報は、例えば、通信事業者のＯＴＡキーを使用して暗号化され得る。そのような実施形態では、ＵＥデバイスはパーソナライズＳＩＭ情報を復号し得る。
【００７９】
４０８で、パーソナライズＳＩＭ情報はｅＳＩＭにインストールされ得る。上述のとおり、ｅＳＩＭは、いくつかの実施形態では、ＵＥデバイスのスマートカード（例えば、ｅＵＩＣＣなどの組み込み型スマートカード）によってインストール／記憶／実行され得る。他の実施形態では、ｅＳＩＭはインストールされ、デバイスメモリに記憶され、デバイスＣＰＵによって実行され得る。さらに他の実施形態では、ｅＳＩＭは、スマートカード、デバイスメモリ、及びデバイスＣＰＵの組み合わせによってインストール／記憶／実行され得る。いくつかの実施形態では、ＵＥデバイスは代替として、例えば、着脱可能なＵＩＣＣなどの着脱可能なスマートカードなど、ＵＥデバイスに組み込まれないＳＩＭにパーソナライズＳＩＭ情報をインストールし得ることにも再度、留意されたい。
【００８０】
ｅＳＩＭが完全にインストール及びプロビジョニングされると（例えば、共通ＳＩＭ情報及びパーソナライズＳＩＭ情報がｅＳＩＭにインストールされると）、ＵＥデバイスが通信事業者のネットワークにアクセスするように構成され得る。特に、いくつかの実施形態では、ＵＥデバイスはｅＳＩＭを提供したサービスプロバイダの通信事業者のネットワークにアクセスするように構成され得る。
【００８１】
いくつかの実施形態では、ＵＥデバイスにおけるｅＳＩＭに対して、例えば、しばらく経ってから、再プロビジョニングしたり、又は追加プロビジョニングを提供したりすることが望ましい場合がある。例えば、ユーザが、サービスプロバイダを切り替えたり、又は自身のＵＥデバイスが複数のサービスプロバイダからサービスを受けたりすることを所望する場合がある。
【００８２】
したがって、いくつかの実施形態では、ＵＥデバイスは、ｅＳＩＭのプロビジョニング情報の第２の要求を送信し得る。プロビジョニング情報の第２の要求は、種々の実施形態によると、第２の共通ＳＩＭ情報及び第２のパーソナライズＳＩＭ情報の要求であるか、又は第２のパーソナライズＳＩＭ情報のみの要求であり得る。
【００８３】
ＵＥデバイスは、第２の共通ＳＩＭ情報及び／又は第２のパーソナライズＳＩＭ情報を受信し、元の共通ＳＩＭ情報及び／若しくはパーソナライズＳＩＭ情報と同じ方法、又は、例えば、上述の変化形態のいずれかに従う異なる方法で第２の共通ＳＩＭ情報及び／若しくは第２のパーソナライズＳＩＭ情報をインストールし得る。
【００８４】
いくつかの実施形態では、例えば、ユーザがもはや第１のｅＳＩＭを提供した通信事業者の加入者ではない場合、ＵＥデバイスはまた、元の共通ＳＩＭ情報及び／又はパーソナライズＳＩＭ情報をｅＳＩＭから除去し得る。
【００８５】
（図５−フロー図）
図５は、一実施形態に係る、ｅＳＩＭをパーソナライズするプロセスを表す例示的な流れを示す。図５に例示された実施形態は、可能性のある１つの実装形態の流れの例として提供されているが、任意の数の変化形態又は代替形態が必要に応じて使用され得、図５に示され、それを参照して記述される例示的実施形態は全体として当該開示に限定されると見なされるべきではないことが認識される。
【００８６】
示されているように、このプロセスには、ＵＥデバイス５０２、ｅＳＩＭサーバ５１０、パーソナライズサーバ５１２、並びにホームロケーションレジスタ（ＨＬＲ）及びプロビジョニングシステム５１４が関わり得る。ＵＥデバイスはＵＩＣＣ又はｅＵＩＣＣ５０４を含み得、これはベースバンド（ＢＢ）層５０６とインタフェースを取り得、これはひいては、アプリケーションプロセッサ（ＡＰ）５０８とインタフェースを取り得る。
【００８７】
ＵＥデバイス５０２は、ｅＳＩＭの要求をｅＳＩＭサーバ５１０に送信し得る。ｅＳＩＭサーバ５１０はＵＥデバイス５０２に、ｅＳＩＭのための共通ＳＩＭ情報を提供する。ＵＥデバイス５０２はｅＳＩＭの共通ＳＩＭ情報部分をインストールし、ｅＳＩＭの共通ＳＩＭ情報部分がインストールされたという表示をｅＳＩＭサーバ５１０に提供し得る。
【００８８】
ｅＳＩＭサーバ５１０がこの表示を受信すると、ｅＳＩＭサーバはパーソナライズ要求をパーソナライズサーバ５１２に送信し得る。パーソナライズサーバはＨＬＲ／プロビジョニングシステム５１４とコンタクトしていてもよく、パーソナライズＳＩＭ情報の特定のセットのためのサービスをアクティブ化する必要があるという表示を送信し得る。したがって、ＨＬＲ／プロビジョニングシステム５１４はパーソナライズＳＩＭ情報の当該セットのためのサービスをアクティブ化し得、成功すると、当該成功の表示をパーソナライズサーバ５１２に送信し得る。
【００８９】
次にパーソナライズサーバ５１２はパーソナライズＳＩＭ情報（例えば、一実施形態に従い、ＩＭＳＩ、キー、ＰＩＮ、及びＰＵＫ）を含むデータブロブ（blob）を、ｅＳＩＭサーバ５１０に提供し得る。ｅＳＩＭサーバ５１０は次に、データブロブをＵＥデバイス５０２に提供し得、これはＵＥデバイスのｅＳＩＭをパーソナライズＳＩＭ情報でプロビジョニングし得る。
【００９０】
次に、ＵＥデバイス５０２は成功の表示をｅＳＩＭサーバ５１０及び／又はパーソナライズサーバ５１２に提供し得る。ＵＥデバイス５０２がこのプロセスに従ってプロビジョニングされると、ＵＥデバイスは通信事業者のネットワークにアクセスし、完全に構成されたｅＳＩＭを使用した無線通信を実行することが可能となり得る。
【００９１】
本開示の実施形態は種々の形態の任意のもので実現されてよい。例えば、いくつかの実施形態は、コンピュータにより実施される方法、コンピュータ可読メモリ媒体、又はコンピュータシステムとして実現されてもよい。他の実施形態は、ＡＳＩＣ等の１つ以上のカスタム設計のハードウェアデバイスを用いて実現されてもよい。さらに他の実施形態は、本発明は、ＦＰＧＡ等の１つ以上のプログラム可能ハードウェア要素を用いて実現されてもよい。
【００９２】
いくつかの実施形態では、非一時的コンピュータ可読メモリ媒体は、プログラム命令及び／又はデータを記憶するように構成されてもよく、プログラム命令は、コンピュータシステムによって実行される場合、コンピュータシステムに、本方法、例えば、本明細書に記載された方法の実施形態のうちのいずれか、又は、本明細書に記載された方法の実施形態の任意の組み合わせ、又は、本明細書に記載された方法の実施形態のうちのいずれかの任意のサブセット、又は、そのようなサブセットの任意の組み合わせを実行させる。
【００９３】
いくつかの実施形態では、コンピュータシステムは、プロセッサ（又はプロセッサのセット）とメモリ媒体とを含むように構成されてもよく、メモリ媒体は、プログラム命令を記憶し、プロセッサは、メモリ媒体からプログラム命令を読み出し、それを実行するように構成され、プログラム命令は、本明細書に記載された種々の方法の実施形態（又は、本明細書に記載された方法の実施形態、又は、本明細書に記載された方法の実施形態のうちのいずれかの任意のサブセット、又は、そのようなサブセットの任意の組み合わせ）のうちのいずれかを実行するように実行可能である。コンピュータシステムは、種々の形態の任意のもので実現され得る。例えば、コンピュータシステムは、（その種々の実現形態のうちのいずれかにおける）パーソナルコンピュータ、ワークステーション、カード上のコンピュータ、ボックス中の特定用途向けコンピュータ、サーバコンピュータ、クライアントコンピュータ、ハンドヘルドデバイス、タブレットコンピュータ、ウェアラブルコンピュータなどであり得る。
【００９４】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
2015522976.tif 000003
【図２】
2015522976.tif 000004
【図３】
2015522976.tif 000005
【図４】
2015522976.tif 000006
【図５】
2015522976.tif 000007
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
ＵＥ（ユーザ機器）デバイスのｅＳＩＭ（組み込み型加入者識別モジュール）をプロビジョニングする方法であって、
前記ＵＥデバイスにおいて、
共通ＳＩＭ情報が複数のＳＩＭに関連付けられた加入者に固有ではない情報を含む、共通ＳＩＭ情報を取得することと、
サーバに、前記ｅＳＩＭの情報のプロビジョニングのための要求を送信することと、
前記サーバから、前記ｅＳＩＭの情報のプロビジョニングのための前記要求に応じて加入者に固有の情報を含むパーソナライズＳＩＭ情報を受信することと、
前記ｅＳＩＭに前記パーソナライズＳＩＭ情報をインストールすることと、を含み、
前記共通ＳＩＭ情報及び前記パーソナライズＳＩＭ情報が前記ＵＥデバイスの前記ｅＳＩＭをプロビジョニングするために構成されている、方法。
【請求項２】
前記ｅＳＩＭに第１のパーソナライズＳＩＭ情報をインストールすることに続いて、
前記ｅＳＩＭの情報のプロビジョニングのための第２の要求を送信することと、
前記ｅＳＩＭの情報のプロビジョニングのための前記第２の要求に応じて第２のパーソナライズＳＩＭ情報を受信することと、
前記ｅＳＩＭに前記第２のパーソナライズＳＩＭ情報をインストールすることと、をさらに含む、請求項１に記載の方法。
【請求項３】
前記第２の要求は前記ｅＳＩＭの再プロビジョニングの要求を含み、前記方法は、前記ｅＳＩＭから前記第１のパーソナライズＳＩＭ情報を消去することをさらに含む、請求項２に記載の方法。
【請求項４】
前記第２の要求が前記ｅＳＩＭの追加プロビジョニングの要求を含み、前記ｅＳＩＭに前記第２のパーソナライズＳＩＭ情報をインストールした後に、前記ＵＥデバイスが前記第１のパーソナライズＳＩＭ情報及び前記第２のパーソナライズＳＩＭ情報の両方を有する、請求項２に記載の方法。
【請求項５】
ＵＥ（ユーザ機器）デバイスであって、
無線通信を行うための１つ以上アンテナと、
プロセッサであって、
前記ＵＥデバイスにアクセス可能な、複数のＳＩＭに関連付けられた加入者に固有ではない情報を含む共通ＳＩＭ情報を有するＳＩＭ（加入者識別モジュール）とインタフェースをとることと、
サーバへ、加入者に固有の情報を含むパーソナライズＳＩＭ情報の、要求を送信することと、
前記サーバから前記パーソナライズＳＩＭ情報を受信することと、
前記ＳＩＭに前記パーソナライズＳＩＭ情報をインストールすることと、を含むステップを実行するように構成されたプロセッサと、を有し、前記共通ＳＩＭ情報及び前記パーソナライズＳＩＭ情報が前記ＵＥデバイスの前記ＳＩＭをプロビジョニングするよう構成される、ＵＥデバイス。
【請求項６】
前記ＳＩＭが着脱可能なスマートカードであり、前記ステップが前記着脱可能なスマートカードに前記パーソナライズＳＩＭ情報をインストールすることを含む、請求項５に記載のＵＥデバイス。
【請求項７】
前記ＳＩＭが組み込み型スマートカードであり、前記ステップが前記組み込み型スマートカードに前記パーソナライズＳＩＭ情報をインストールすることを含む、請求項５に記載のＵＥデバイス。
【請求項８】
前記ＳＩＭがｅＳＩＭ（電子ＳＩＭ）を有し、前記ｅＳＩＭが前記ＵＥデバイスに含まれるｅＵＩＣＣ（組み込み型ユニバーサル集積回路カード）によって管理される、請求項５に記載のＵＥデバイス。
【請求項９】
前記ＵＥデバイスが前記１つ以上のアンテナを使用して、無線で、パーソナライズＳＩＭ情報の前記要求を送信し、前記パーソナライズＳＩＭ情報を受信するように構成される、請求項５に記載のＵＥデバイス。
【請求項１０】
前記ＵＥデバイスがブートストラップＳＩＭを含み、前記ブートストラップＳＩＭが前記ＵＥデバイスに、無線ネットワークへの限定的な無線アクセスを提供する、請求項５に記載のＵＥデバイス。
【請求項１１】
ＵＥ（ユーザ機器）デバイスであって、
無線通信を行うための１つ以上のアンテナと、
プロセッサであって、
サーバに、前記ＵＥデバイスにアクセス可能なＳＩＭにインストールされる、加入者に固有の情報を含んだパーソナライズＳＩＭ（加入者識別モジュール）情報の、要求を送信することと、
前記サーバから前記パーソナライズＳＩＭ情報を受信することと、
前記ＳＩＭに前記パーソナライズＳＩＭ情報をインストールすることと、を含む各ステップを実行するように構成されたプロセッサと、を有し、
前記パーソナライズＳＩＭ情報は前記ＵＥデバイスの前記ＳＩＭをプロビジョニングするように構成される、ＵＥデバイス。
【請求項１２】
前記ＳＩＭが複数のＳＩＭに共通の加入者に固有ではない情報を含む、請求項１１に記載のＵＥデバイス。
【請求項１３】
前記パーソナライズＳＩＭ情報が、
ＩＭＳＩ（国際移動電話加入者識別番号）と、
ＰＩＮ（個人識別番号）と、
ＰＵＫ（ＰＩＮロック解除キー）と、
ＡＫ（認可キー）と、の１つ以上を含む、請求項１１に記載のＵＥデバイス。
【請求項１４】
前記パーソナライズＳＩＭ情報が暗号化され、前記ステップが、前記パーソナライズＳＩＭ情報を復号することをさらに含む、請求項１１に記載のＵＥデバイス。
【請求項１５】
前記ＳＩＭがｅＳＩＭ（電子ＳＩＭ）であり、前記ＵＥが前記ｅＳＩＭを管理するように構成されたｅＵＩＣＣ（組み込み型ユニバーサル集積回路カード）を含む、請求項１１に記載のＵＥデバイス。
【請求項１６】
前記ステップが、
共通ＳＩＭ情報の要求を送信することと、
前記共通ＳＩＭ情報を受信することと、
前記ＳＩＭに前記共通ＳＩＭ情報をインストールすることと、をさらに含む、請求項１１に記載のＵＥデバイス。
【請求項１７】
前記共通ＳＩＭ情報が前記サーバから受信される、請求項１６に記載のＵＥデバイス。
【請求項１８】
前記ＳＩＭが着脱可能なスマートカードであり、前記ステップが前記着脱可能なスマートカードに前記パーソナライズＳＩＭ情報をインストールすることを含む、請求項１１に記載のＵＥデバイス。
【請求項１９】
前記ＳＩＭが組み込み型スマートカードであり、前記ステップが前記組み込み型スマートカードに前記パーソナライズＳＩＭ情報をインストールすることを含む、請求項１１に記載のＵＥデバイス。
【請求項２０】
前記ＳＩＭが共通ＳＩＭ情報を含み、前記共通ＳＩＭ情報が前記ＳＩＭにプレインストールされている、請求項１１に記載のＵＥデバイス。
【国際調査報告】
2015522976.tif 000008
2015522976.tif 000009